(57)【要約】【課題】被写体の動きが速くてもブレのない撮影を行なうことができ、メモリを効率的に使用することができるデジタルカメラを提供することができる。【解決手段】制御部１２０内に動き検出回路１２１を設けてレリーズ釦が半押しされているときに動きが検出された場合には半押しされたときから全押しされてから一定期間の画像が一連の画像信号として１つのファイルになって記録メディアに記録される。このときには被写体の動きが速ければ速いほど、高感度撮影を行なってシャッタースピードの短くして撮影のブレを抑制する。【選択図】　　　　図７
2004120576.tif 000002
【特許請求の範囲】
【請求項１】
被写体からの光を撮影光学系で撮像素子上に結像させて被写体画像をあらわす画像信号を得るデジタルカメラにおいて、
半押しと全押しの二つの操作態様を有するレリーズ釦と、
前記画像信号に基づいて、被写体に所定速さ以上の速さの動きがあるか否かを検出する動き検出部とを備えるとともに、
前記動き検出部により所定速さ以上の速さの動きが検出された場合に前記レリーズ釦半押し以降動画あるいは連写撮影を行ない、全押しで静止画像撮影を行なうとともに該静止画撮影後再び動画あるいは連写撮影を行ない、前記動き検出部により所定速さ未満の速さの動きが検出された場合には動画あるいは連写撮影は行なわずに前記レリーズ釦全押しで静止画撮影のみを行なう撮影モードを有することを特徴とするデジタルカメラ。
【請求項２】
前記撮影モードにおける撮影時に、前記動き検出部により検出された被写体の動きの速さに応じて撮影感度を変更する撮影感度調節部を備えたことを特徴とする請求項１記載のデジタルカメラ。
【請求項３】
前記撮影モードにおける一回の撮影操作で得られた、一連の画像を表わす一連の画像信号を１つのファイルに記録する画像記録部を備えたことを特徴とする請求項１記載のデジタルカメラ。
【請求項４】
画像信号に基づく画像を表示する画像表示部を備え、該画像表示部は、前記撮影モードにおける一回の撮影操作で得られた一連の画像信号に基づく一連のサムネイル画像を並べて表示するものであることを特徴とする請求項１記載のデジタルカメラ。
【発明の詳細な説明】
【０００１】
【発明の属する技術分野】
本発明は、動画撮影あるいは連写も行なうことができ、かつその動画撮影あるいは連写により得られた画像データを記録・再生可能なデジタルカメラに関する。
【０００２】
【従来の技術】
従来より様々なタイプのデジタルカメラが知られているが、その中に動画撮影モードあるいは連写モードを有するデジタルカメラがある。以下では動画撮影を含めて連写という用語で代表させる。連写モード（動画撮影モードの概念を含む）を有するデジタルカメラではたとえば撮影モードダイヤルなどで連写と単写とが切り替えられ、連写に切り替えられたときにはレリーズ釦が押されている間中、連写が行なわれる。レリーズ釦が押されて連写が行なわれている間は撮影により得られた画像データが所定の間隔ごとに次々と記録メディアに記録される。最近では被写体に動きがあったときにカメラが被写体の動きを捉え自動的に連写を行なうものもある。このようなカメラとしては監視カメラがあり、異常事態が発生した場合にカメラで被写体の動きを捉え、その捉えた被写体が動いていてもその被写体を追尾しながら連写撮影が行なわれる（たとえば特許文献１）。
【０００３】
また動きの速い被写体を撮影するときは、レリーズ釦が押されたときを境にした前後の撮影時間が自在に設定され、その設定された撮影時間内の被写体の動きが連写されるカメラも提案されている（たとえば特許文献２）。
【０００４】
【特許文献１】
特開平０６−１６５１８１号公報
【特許文献２】
特開平１０−２５７３６５号公報
【０００５】
【発明が解決しようとする課題】
特許文献１のものでは用途が監視カメラに限られており、カメラを構えて撮影を行なう普通のカメラにおいては、わざわざ追尾機能を持たせる必要がない。
【０００６】
特許文献２のものでは、被写体に動きがなくても、設定された時間内で連写が行なわれてしまうので、被写体に動きがなかった場合には、ほぼ同じ画像信号が次々と記録メディアにメモリに記録され、記録メディアの記録領域が無駄に使用されるという問題がある。
【０００７】
本発明は、上記の点に着目して記録メディアの記録領域をもっと効率的に使用することができるデジタルカメラを提供することを目的とする。
【０００８】
【課題を解決するための手段】
上記目的を達成する本発明のカメラは、被写体からの光を撮影光学系で撮像素子上に結像させて被写体画像をあらわす画像信号を得るデジタルカメラにおいて、
半押しと全押しの二つの操作態様を有するレリーズ釦と、
上記画像信号に基づいて、被写体に所定速さ以上の速さの動きがあるか否かを検出する動き検出部とを備えるとともに、
上記動き検出部により所定速さ以上の速さの動きが検出された場合に上記レリーズ釦半押し以降連写撮影を行ない、全押しで静止画像撮影を行なうとともに、その静止画撮影後再び連写撮影を行ない、上記動き検出部により所定速さ未満の速さの動きが検出された場合には連写撮影は行なわずに上記レリーズ釦全押しで静止画撮影のみを行なう撮影モードを有することを特徴とする。
【０００９】
上記本発明のカメラによれば、上記動き検出部により被写体に所定速さ以上の速さの動きが検出された場合には連写撮影が行なわれる。また所定速さ未満の速さの動きが検出された場合には静止画撮影のみが行なわれ、今までのように被写体に動きがなくても連写撮影が行なわれてメモリに無駄に画像信号が記録されるといったことが回避される。
【００１０】
ここで上記撮影モードにおける撮影時に、上記動き検出部により検出された被写体の動きの速さに応じて撮影感度を変更する撮影感度調節部を備えていることが好ましい。
【００１１】
被写体の動きが速い場合に撮影感度調節部で撮影感度を変更するときにはシャッタースピードも変更されるので被写体の動きが速くてもブレが起こり難くなる。
【００１２】
また上記撮影モードにおける一回の撮影操作で得られた、一連の画像を表わす一連の画像信号を１つのファイルに記録する画像記録部を備えていることが好ましい。
【００１３】
被写体に動きがあって、連写が行なわれたときの一連の画像信号が記憶メディアに記録される場合には、その一連の画像信号が１つのファイルとして記録メディアに記録される。このように一連の画像信号が１つのファイルとして記録メディアに記録されると、その記録メディアに記録された一連の画像信号の管理が行い易く、記録メディアからその一連の画像信号を再生するときにはファイルを指定するだけで済み、画像ファイルの取り扱いが簡便になる。
【００１４】
さらに画像信号に基づく画像を表示する画像表示部を備え、その画像表示部は、上記撮影モードにおける一回の撮影操作で得られた画像信号に基づく一連のサムネイル画像を並べて表示するものであることが好ましい。
【００１５】
このように画像表示部が多数のファイルのそれぞれのサムネイル画像を並べて表示するものであると、サムネイル画像を見てそのファイルに記録されている一連の画像を確認し、静止画撮影を行なったタイミングの前後の様子を知ることができる。
【００１６】
【発明の実施の形態】
以下、本発明の実施形態について説明する。
【００１７】
図１に本発明の実施形態を示すデジタルカメラの外観図である。図１（ａ）は正面図、（ｂ）は上面図、（ｃ）は側面図、（ｄ）は背面図である。
【００１８】
図１（ａ）〜（ｃ）に示すレンズ１０１からカメラ１００内部に配備されているＣＣＤ固体撮像素子まで被写体の像が導かれるようになっている。また、夜間撮影も行えるように閃光発光部１０４も配備されている。この閃光発光部１０４の閃光発光量を調節するための調光センサ１０４ａも配備されている。
【００１９】
また図１（ｄ）に示すように本実施形態のデジタルカメラの背面にはユーザがこのデジタルカメラを使用するときにいろいろな操作を行うための操作部が設けられている。
【００２０】
この操作部には操作用のスイッチ群と表示器としてＬＣＤパネル１０５ａが設けられている。操作スイッチ群にはデジタルカメラを作動させるための電源投入用のパワースイッチ１０２、撮影と再生とを切替自在にする撮影・再生切替レバー１０３、ズームスイッチ１０６、十字キー１０７および閃光発光部のポップアップスイッチ１０９などがある。この十字キーの内側には表示部１０７ａが設けられていてその表示部には十字キー１０７の操作が簡単に行なわれるように操作内容が表示される。またこのデジタルカメラ１００では撮影・再生切替レバー１０３によって撮影と再生とが切替自在になっていて、撮影を行うときにはユーザによって撮影・再生切替レバー１０３が撮影側１０３ａに切り替えられて再生を行うときには撮影・再生切替レバー１０３が再生側１０３ｂに切り替えられる。
【００２１】
この撮影・再生切替レバー１０３が撮影側に切り替えられて、図１（ｂ）に示すレリーズ釦１０８が押下されると撮影の開始指示がカメラ内部の信号処理部へと伝えられる
また、このデジタルカメラには撮影モードダイヤル１１０が配備されており、この撮影モードダイヤルには５つの撮影モードを用意されている。
【００２２】
図２は撮影モードダイヤルの５つの撮影モードを示す図である。
【００２３】
この５つの撮影モードとは自動撮影を行なうＡモード、マニュアル撮影を行なうＭモード、被写体の動きに応じて連写（動画）／静止画をカメラ側で自動的に切り替えることが自在なＰ１モード、連写（動画）／静止画を撮影するＰ２モード、連写（動画）撮影モードのＭＶモードの５つである。また、デジカメの内部設定を変更することが可能なＳモードも備えている。ここでＰ１モードが選択された場合には、被写体の動きに応じてフレーム間の画像の差分が検出され、フレーム間に動きがあったら連写撮影が行なわれて記録メディアに一連の画像信号が記録されるようになっている。
【００２４】
図３はデジタルカメラ１００の内部に配備された信号処理部の構成ブロック図である。図３を参照してデジタルカメラ１００内にある信号処理部の構成を説明する。
【００２５】
本実施形態のデジタルカメラ１００ではすべての処理が制御部１２０たとえばＣＰＵによって制御されていてこの制御部１２０には図１（ｄ）で示した操作部の各種スイッチが接続されている。図３にはその各種スイッチが操作スイッチ１０００として記述されている。またこの制御部１２０にはプログラムが格納されているＲＯＭおよび作業用のＲＡＭからなるＲＡＭ・ＲＯＭ部１３０が備えられている。このＲＯＭに格納されているプログラムの手順にしたがって制御部１２０はカメラ制御部１４０、調光センサ１５０、表示制御部１６０、メモリ制御部１７０、外部インタフェース部１８０各部を制御する。
【００２６】
また、この制御部１２０内には動き検出部１２１が備えられており、撮影モードダイヤル１１０でＰ１が選択されたときにはこの動き検出部１２１で１つ前のフレームと現在のフレームとの間の差分が求められ、撮影されている被写体の動きが検出される。さらにこの制御部１２０には連写制御部１２２が備えられており、その連写制御部１２２には所定のフレーム数を記録することが可能なリングバッファが設けられている。このリングバッファには連写が行なわれたときに一連の画像信号が所定のフレーム数だけ記録される。このリングバッファに一連の画像信号が順に記録されていき、所定数のフレームを超えたときには最も古い時刻に記録された画像信号に新しい画像信号が上書きされていく。
【００２７】
図４は動き検出部１２１で被写体の動きを検出するときに使用される、１つ前のフレームの画像信号と現在のフレームの画像信号を示す図である。
【００２８】
図４（ａ）には１つ前のフレーム（前フレーム）の画像信号が、図４（ｂ）には現在のフレーム（現フレーム）の画像信号がそれぞれ示されている。撮影レンズが同じ方向に向けられて図４（ａ）から図４（ｂ）に示すように被写体の車両が動いた場合には、その車両の位置の違いが差分によって示される。
【００２９】
このようにフレーム間の差分を求めるために、制御部１２０内にはフレームメモリが備えられており、図４の左側に示した一つ前のフレームの画像信号がフレームメモリに記憶され、そのフレームメモリに記憶された画像信号が、動き検出部が備える差分演算部に供給される。一方、その差分演算部には現在のフレームの画像信号も供給され、双方の画像信号の間で差分演算が行なわれる。その差分演算の結果、被写体に動きがあると判定された場合にはカメラ制御部１３０に感度に関する情報が供給される。このカメラ制御部１３０ではこの感度に関する情報に基づいてカメラ制御部が備える撮影感度調節部に感度の指示を与える。このカメラ制御部の撮影感度調節部にはたとえば画素混合部が備えられており、この画素混合部で複数の画素たとえば４画素が混合され、感度が調節される。このように高感度が設定されるときは被写体に動きがあるのでシャッタースピードも調節して短くする必要がある。本実施形態のデジタルカメラでは、動き検出部で検出された差分が大きく、被写体の動きが速いと判定された場合に撮影感度調節部に高感度撮影の設定をして、ＣＣＤ固体撮像素子に与えられる光量が少なくても高画質な画像の撮影を行なうことができるようにした上で、カメラ制御部１４０が備えるタイミングジェネレータにシャッタースピードを短くする指示を出し、被写体に速い動きがあったとしても撮影にブレが生じないようにしている。
【００３０】
このように動き検出部１２１での動きの検出を撮影に同期させて行なうために、本実施形態のカメラ１００では撮影の開始の合図を行なうレリーズ釦１０８に二つの操作態様を持たせている。その二つの操作態様とは半押し状態と全押し状態であり、それぞれの操作態様に応じて制御部１２０で異なる処理が行なわれる。図２に示した撮影モードダイヤル１１０でＰ１（連写（動画）／静止画撮影モード）が設定されて、レリーズ釦１０８が半押しされたら連写撮影が開始され、現在のフレームと１つ前のフレームとの差分演算が動き検出部１２１の差分演算部で行なわれる。この差分演算の結果、被写体の動きが速いと判定された場合には、連写制御部１２２内のリングバッファに一連の画像を表わす画像信号が次々と記録されていく。そしてレリーズ釦が全押しされたときに、連写制御部１２２内のリングバッファから記録メディアへの記録が行なわれる。このときには全押しＳ２されたときの静止画像もリングバッファに書き込まれて、全押しされた後も連写撮影が引き続き所定の時間行なわれ、リングバッファに順次書き込みが行なわれる。レリーズ釦が全押しされた後ではリングバッファに一連の画像信号が書き込まれるとともに既に書き込まれていた一連の画像信号がリングバッファから読み出されて次々とメモリカード１９０に記録されている。ここで前述したようにリングバッファに書き込まれている一連の画像信号が所定数のフレームを超えたときには最も古い時刻に記録された画像信号に新しい画像信号が上書きされていく。
【００３１】
つまり、半押し状態のときには、動き検出部１２１で動きを検出して、全押しされたら、その半押し期間のときに検出された被写体の動きに応じて静止画あるいは連写撮影のいずれ一方が選択されて撮影が行なわれる。被写体に動きがあった場合には、半押しされた時から全押しされた時までの一連の画像はもとより、全押しされた時から一定期間後の画像も付加されて記録メディアに画像ファイルとして記録され、被写体に動きがなかった場合には、全押しされたときの静止画像だけが記録メディアに記録される。
【００３２】
また、本デジタルカメラのメモリ制御部１７０には、圧縮・解凍部が備えられており、その圧縮部で圧縮された画像データが画像ファイルとしてメモリカードに記録される。この圧縮部には１フレーム分の画像データを圧縮したときの圧縮情報や撮影情報がヘッダとして記録され、読み出すときにそのヘッダの内容に基づいて解凍部で解凍が行なわれ、画像データが再生される。このメモリ制御部が本発明にいう画像記録部に当たる。
【００３３】
このヘッダ部には一連の画像信号が圧縮されて画像ファイルとして記録されるときの圧縮情報や撮影情報や記録情報などが書き込まれており、再生されるときにはまずそのヘッダ情報が読み出され、再生が行なわれる。そのヘッダ部にはサムネイル領域と呼ばれる領域があり、そのサムネイル領域にはサムネイル画がファイル情報として記録されている。
【００３４】
連写撮影が行なわれた場合には上記ヘッダ部のサムネイル領域には連写撮影された一連の画像信号の先頭の画像信号のサイズが縮小され、圧縮された画像信号が記録される。このときにはヘッダの記録領域とは別の記録領域に、一連の画像信号がＪＰＥＧ画像ファイルとして記録される。
【００３５】
また、静止画撮影が行なわれた場合にはその静止画像のサイズが縮小され、圧縮されてサムネイル領域に記録されるとともに静止画像がＪＰＥＧファイルとして記録メディアに記録される。
【００３６】
ここでは、全押しタイミングＳ２のときに動きがあると判定された場合には、レリーズ釦の全押しタイミングＳ２前の数秒間、連写により得られた一連の画像をあらわす画像信号がファイルに記録され、全押しタイミングＳ２のときの静止画をあらわす画像信号もそのファイルに記録され、さらに全押しタイミングＳ２後の数秒間、連写により得られた一連の画像をあらわす画像信号もそのファイルに記録される。したがって、そのファイルが指定されると、レリーズ釦の全押しタイミングＳ２を境にして前後の画像信号が再生される。このときには全押しタイミングＳ２のときの静止画像のサムネイル画とその全押しタイミングＳ２前後の一連の画像を表わす画像信号の、それぞれ先頭の画像信号をサムネイル画として作成しておくと静止画像を撮影した前後の状況がそれらのサムネイル画により確認され、撮影記録などの管理が簡便になる。
【００３７】
図５は撮影された画像の縦横比が縮小され、圧縮されたサムネイル画を示す図である。
【００３８】
図１（ｄ）に示した撮影・再生切り替えスイッチが再生側に倒され、再生モードになり選択メニューでメモリカード１９０に記録されている画像ファイルのファイルリストが選択されると、図５のサムネイル画とともにファイルネームがＬＣＤパネル１０５ａにフォルダの形で表示される。図６はそのフォルダとそのフォルダの下層にある動画ファイル、静止画ファイルを示す図である。ヘッダ部にあるサムネイル領域に記録されたサムネイル画がフォルダとして使用され、そのフォルダがカーソルなどにより指定されると、そのカーソルで指定された連写ファイルあるいは静止画ファイルが再生される。ここで連写撮影が行なわれたときにレリーズ釦が全押しされたときに必ず静止画撮影が行なわれているので、その静止画が撮影された時刻を境にした前後の状況がサムネイル画により並べてＬＣＤ画面に表示されると、静止画撮影の前後の状況を一目で確認することができる。
【００３９】
図７は撮影モードとしてＰ１モードが選択されたときにＣＰＵで行なわれる処理の手順を示すフローチャートである。このフローチャート中に使用されている符合Ｓ１はレリーズ釦の半押し、符合Ｓ２はレリーズ釦の全押しをそれぞれ示している。
【００４０】
まずステップＳ７１でレリーズ釦の半押しＳ１が行なわれ、Ｙと判定されたら次のステップで制御部１２０内の動き検出部１２１で１つ前のフレームの画像信号と次のフレームの画像信号とから差分検出が行なわれる。１つ前のフレームの画像信号はフレームメモリに記憶され、そのフレームメモリから差分演算部に供給されたときに、次のフレームの画像信号もその差分演算部に供給されて双方の画像信号の差分が検出される。双方の画像信号の差は動きが大きいときほど大きくなり、双方の画像信号の差は動きが少ないときほど小さくなる。
【００４１】
ステップＳ７３ではこの差の大きさが判定される。このステップＳ７３で差の大きさが中ぐらいであるときにはステップＳ７４へ移行してＩＳＯ８００といった高感度設定が行なわれる。また、差の大きさが大のときにはステップＳ７５へ移行してさらにＩＳＯ１６００といった高感度設定が行なわれる。このように高感度設定が行なわれると、カメラ制御部内の撮影感度調節部が備える画素混合部などで処理が行なわれてＳ／Ｎ比が改善され、高感度での撮影が行なわれる。このときには画素混合が行なわれてＳ／Ｎ比が改善されるのでそれほどの光量をＣＣＤ固体撮像素子の撮影面に与えなくても画質の良い画像が得られる。したがって、被写体に速い動きがあって高感度設定が撮影感度調節部で行なわれたら、シャッタースピードを短くして撮影が行なわれ、被写体に動きがあっても撮影のブレが抑制される。
【００４２】
また、ステップＳ７３で差が小さいと判定されたら、被写体が静止画であると判定され、ステップＳ７６でＩＳＯ４００の感度が選択される。次のステップＳ７７で全押しＳ２が行なわれたかどうかが判定され、このステップＳ７７でＹと判定されたらステップＳ７８で静止画撮影が行なわれる。すなわち被写体に動きがなかったら、レリーズ釦が全押しされた時（Ｓ２時）の静止画像をあらわす画像信号がステップＳ７９で記録メディアに記録される。
【００４３】
ステップＳ７３で差が中ぐらいあるいは大きいと判定されたら、ステップＳ７４あるいはＳ７５で高感度設定が行なわれてステップＳ８０で連写撮影が開始される。ＩＳＯ８００の感度でもＩＳＯ１６００の感度でもフローチャートは同じであるが、混合される画素数などが変わり、Ｓ／Ｎの改善度が変わる。
【００４４】
ステップＳ８１でレリーズ釦が全押しされたかどうかが判定され、Ｙと判定されたらステップＳ８２で全押しされたときの静止画撮影が行なわれる。そして次のステップＳ８３で全押しされたときから一定時間、撮影が続行されて、ステップＳ８４で記録メディアへの記録が行なわれる。つまり半押しされて動き検出部で動きが検出され、高感度での連写撮影が行なわれ始め、レリーズ釦が全押しされたら、その全押しされたときの画像が静止画として撮影されて、その後また一定期間、連写撮影が行なわれ、一定期間経ったら撮影が終了する。このときには高感度設定が行なわれ、シャッタスピードが短くなっているので、撮影のブレがなくなる。また被写体に動きがなく、静止画であると判定されたら、全押しされたときの静止画しかメモリカードに記録されないので、メモリカードの記録領域を無駄に使用することもなく、効率的にメモリカードを使用することができる。さらにこのメモリに記録された画像データを、効率的に活用することができるようにするため、本実施形態のデジタルカメラでは記録メディアに一回の撮影操作で得られた画像信号を１つのファイルとして記録するようにしてあるので、撮影した画像信号が画像ファイルとなって記録メディア内に整然と記録される。また画像ファイルに在るヘッダ部のサムネイル領域には連写撮影であったら先頭の画像の縦横比を縮めさらに圧縮した画像信号が、静止画であれば、静止画の画像の縦横比を縮めて圧縮した画像信号がそれぞれ記録されている。したがって、記録メディア制御部が記録メディアに記録されているファイルにアクセスしてそのファイルのヘッダを読み取ってファイルのリストを表示するときに、各ファイルのサムネイル画をヘッダから読み出してＬＣＤパネル上に表示することができる。このときには多数のファイルのサムネイル画それぞれをＬＣＤパネルに並べで表示することができるため、多数のサムネイル画のうちいずれかがカーソルで選択されると、そのサムネイル画をヘッダ部に持つ連写ファイルあるいは静止画ファイルが再生される。
【００４５】
以上説明したように被写体に動きがあってその動きが速いときには撮影感度をＩＳＯ８００、ＩＳＯ１６００といった高感度に設定するとともに、シャッタスピードを短くすることにより、被写体が速く動いていても撮影にブレが生じ難くなる。
【００４６】
また、動きがなく静止画であると判定された場合にはレリーズ釦が全押しされたときの画像信号が記録メディアに記録されるだけなので記録メディアに無駄な記録が行なわれずに効率的に記録メディアの記録領域が使用される。
【００４７】
さらに、サムネイル画をフォルダとして用いて、記録メディアに記録された画像ファイルを効率的に管理することができる。また記録メディアから画像ファイルの再生を行なうときにもサムネイル画で表示されるフォルダが指定されると記録メディアからそのフォルダに対応する画像ファイルが再生されるので簡単に再生を行なうことができる。さらに連写撮影が行なわれたときのレリーズ釦が全押しされたときの静止画像とその前後の画像をサムネイル画により並べて表示すると、静止画像が撮影された前後の状況を一目で確認することができるといった効果も出てくる。
【００４８】
【発明の効果】
以上、説明したように、本発明のカメラによれば、記録メディアの記録領域を効率的に使用することができるデジタルカメラを提供することができる。
【図面の簡単な説明】
【図１】本発明の一実施形態であるデジタルカメラの外観図である。
【図２】図１の撮影モードダイヤルを示す図である。
【図３】図１のデジタルカメラの信号処理部の構成を示すブロック図である。
【図４】１つ前のフレームの画像信号と現在のフレームの画像信号とを示す図である。
【図５】記録メディアに記録されたファイルの階層を示す図である。
【図６】サムネイル画像を示す図である。
【図７】撮影モードとしてＰ２が選択されたときの処理を示すフローチャートである。
【符号の説明】
１００　　デジタルカメラ
１２０　　制御部
１２１　　動き検出部
１２２　　動画・連写制御部
１３０　　ＲＡＭ・ＲＯＭ部
１４０　　カメラ制御部
１６０　　表示制御部
１７０　　メモリ制御部
１８０　　外部インタフェース
１９０　　メモリカード（記録メディア）
【図１】
2004120576.tif 000003
【図２】
2004120576.tif 000004
【図３】
2004120576.tif 000005
【図４】
2004120576.tif 000006
【図５】
2004120576.tif 000007
【図６】
2004120576.tif 000008
【図７】
2004120576.tif 000009